(57)【要約】  本開示は、シェービングかみそりのユーザーを支援するように、３Ｄカメラを有するスマートシェービングシステムを提供し、この３Ｄカメラは、モノのインターネット（ＩｏＴ）ゲートウェイを介してシェービングかみそりに、およびかみそりカートリッジベンダープラットフォームに通信可能に接続されている。３Ｄカメラは、かみそりが、スタンドアロンのモノのインターネット（ＩｏＴ）デバイスとして機能するように、ハードウェア／ソフトウェア能力を有する、シェービングかみそりに組み込むことができる。３Ｄカメラは、（ｉ）特定の皮膚表面領域が適切に剃られているかどうかをユーザーが決定するのを支援するように、かつ／または（ｉｉ）特定のユーザーの身体的特性（例えば、皮膚および／または毛）に適したシェービングカートリッジおよび／またはかみそりのタイプに関してユーザーを支援するように、モノのインターネット（ＩｏＴ）ゲートウェイを介して、シェービングかみそりおよび／またはかみそりカートリッジベンダープラットフォームに通信可能に接続することができる。【選択図】図６ａ
2021523762.tif 000002
【特許請求の範囲】
【請求項１】
シェービング作業でユーザーを支援するように構成されているシステムであって、
前記ユーザーの皮膚表面および前記ユーザーの身体輪郭のうちの少なくとも１つの画像を記録するように構成されている３Ｄカメラと、
前記３Ｄカメラに通信可能に接続されており、前記３Ｄカメラによって記録された前記画像の画像データを処理して、前記ユーザーの皮膚表面および前記ユーザーの身体輪郭のうちの前記少なくとも１つの少なくとも１つの身体的特性を決定するように構成されている制御ユニットと、
前記少なくとも１つの身体的特性に基づいて、フィードバック情報を提供することを助けるように構成されているフィードバック要素であって、前記フィードバック情報が、（ｉ）前記少なくとも１つの身体的特性に適したシェービングカートリッジ、（ｉｉ）前記少なくとも１つの身体的特性に適したシェービングかみそり、および（ｉｉｉ）前記３Ｄカメラによって記録された前記ユーザーの皮膚表面および前記ユーザーの身体輪郭のうちの前記少なくとも１つに残っている毛の量のうちの少なくとも１つに関する、フィードバック要素と、
前記フィードバック情報を出力するように構成されている出力ユニットと、を備える、システム。
【請求項２】
前記３Ｄカメラが、インターネットプロトコル（ＩＰ）対応デバイスであり、前記３Ｄカメラが、前記３Ｄカメラによって記録された前記画像の前記画像データを伝送するように、インターネットに接続されたインターネットゲートウェイと直接インターフェースするように構成されている、請求項１に記載のシステム。
【請求項３】
かみそりをさらに備え、
前記３Ｄカメラが、前記かみそりに通信可能におよび機械的にのうちの少なくとも１つで接続されている、請求項１に記載のシステム。
【請求項４】
前記３Ｄカメラが、前記かみそり内に提供されている、請求項３に記載のシステム。
【請求項５】
前記制御ユニットが、前記フィードバック要素としての役割をもつベンダープラットフォームに通信可能に接続されており、前記３Ｄカメラによって記録された前記画像の前記画像データが、インターネットに接続されたインターネットゲートウェイを介して前記制御ユニットに伝送される、請求項３または４に記載のシステム。
【請求項６】
前記フィードバック情報が、前記ベンダープラットフォームから、インターネットに接続された前記インターネットゲートウェイを介して、前記かみそりおよび前記３Ｄカメラのうちの少なくとも１つに伝送される、請求項５に記載のシステム。
【請求項７】
前記制御ユニットが、前記フィードバック要素としての役割をもつベンダープラットフォームに通信可能に接続されており、前記３Ｄカメラによって記録された前記画像の前記画像データが、インターネットに接続されたインターネットゲートウェイを介して前記制御ユニットに伝送される、請求項１に記載のシステム。
【請求項８】
前記フィードバック情報が、前記ベンダープラットフォームから、インターネットに接続された前記インターネットゲートウェイを介して、前記３Ｄカメラに伝送される、請求項７に記載のシステム。
【請求項９】
前記３Ｄカメラが、前記かみそりに機械的に接続されており、前記出力ユニットが、前記３Ｄカメラのディスプレイ画面である、請求項３に記載のシステム。
【請求項１０】
前記３Ｄカメラが、モバイルデバイスの一部として提供されており、前記出力ユニットが、前記モバイルデバイスのディスプレイ画面である、請求項１に記載のシステム。
【請求項１１】
シェービング作業でユーザーを支援するための方法であって、
３Ｄカメラによって、前記ユーザーの皮膚表面および前記ユーザーの身体輪郭のうちの少なくとも１つの画像を記録することと、
前記３Ｄカメラに通信可能に接続された制御ユニットによって、前記３Ｄカメラによって記録された前記画像の画像データを処理して、前記ユーザーの皮膚表面および前記ユーザーの身体輪郭のうちの前記少なくとも１つの少なくとも１つの身体的特性を決定することと、
フィードバック要素の助けを借りて、前記少なくとも１つの身体的特性に基づくフィードバック情報を提供することであって、前記フィードバック情報が、（ｉ）前記少なくとも１つの身体的特性に適したシェービングカートリッジ、（ｉｉ）前記少なくとも１つの身体的特性に適したシェービングかみそり、および（ｉｉｉ）前記３Ｄカメラによって記録された前記ユーザーの皮膚表面および前記ユーザーの身体輪郭のうちの前記少なくとも１つに残っている毛の量のうちの少なくとも１つに関する、提供することと、
出力ユニットによって、前記フィードバック情報を出力することと、を含む、方法。
【請求項１２】
前記３Ｄカメラが、インターネットプロトコル（ＩＰ）対応デバイスであり、前記３Ｄカメラが、前記３Ｄカメラによって記録された前記画像の前記画像データを伝送するように、インターネットに接続されたインターネットゲートウェイと直接インターフェースする、請求項１１に記載の方法。
【請求項１３】
前記３Ｄカメラが、かみそりに通信可能におよび機械的にのうちの少なくとも１つで接続されている、請求項１１に記載の方法。
【請求項１４】
前記３Ｄカメラが、前記かみそり内に提供されている、請求項１３に記載の方法。
【請求項１５】
前記制御ユニットが、前記フィードバック要素としての役割をもつベンダープラットフォームに通信可能に接続されており、前記３Ｄカメラによって記録された前記画像の前記画像データが、インターネットに接続されたインターネットゲートウェイを介して前記制御ユニットに伝送される、請求項１３に記載の方法。
【請求項１６】
前記フィードバック情報が、前記ベンダープラットフォームから、インターネットに接続された前記インターネットゲートウェイを介して、前記かみそり、および前記３Ｄカメラのうちの少なくとも１つに伝送される、請求項１５に記載の方法。
【請求項１７】
前記制御ユニットが、前記フィードバック要素としての役割をもつベンダープラットフォームに通信可能に接続されており、前記３Ｄカメラによって記録された前記画像の前記画像データが、インターネットに接続されたインターネットゲートウェイを介して前記制御ユニットに伝送される、請求項１１に記載の方法。
【請求項１８】
前記フィードバック情報が、前記ベンダープラットフォームから、インターネットに接続された前記インターネットゲートウェイを介して、前記３Ｄカメラに伝送される、請求項１７に記載の方法。
【請求項１９】
前記３Ｄカメラが、前記かみそりに機械的に接続されており、前記出力ユニットが、前記３Ｄカメラのディスプレイ画面である、請求項１３に記載の方法。
【請求項２０】
前記３Ｄカメラが、モバイルデバイスの一部として提供されており、前記出力ユニットが、前記モバイルデバイスのディスプレイ画面である、請求項１７に記載の方法。
【請求項２１】
前記３Ｄカメラが、前記かみそり内に提供されており、
前記３Ｄカメラが、選択された身体領域の３Ｄスキャンを実行し、
前記３Ｄスキャンデータが、（ｉ）前記選択された身体領域の皮膚表面が適切に剃られているかどうかを決定すること、および（ｉｉ）前記かみそりのユーザーのシェービングを案内することのうちの少なくとも１つに使用される、請求項１４に記載の方法。
【請求項２２】
前記３Ｄカメラが、前記かみそりに通信可能に接続されており、
前記３Ｄカメラが、選択された身体領域の３Ｄスキャンを実行し、
前記３Ｄスキャンデータが、（ｉ）前記選択された身体領域の皮膚表面が適切に剃られているかどうかを決定すること、および（ｉｉ）前記かみそりのユーザーのシェービングを案内することのうちの少なくとも１つに使用される、請求項１３に記載の方法。
【発明の詳細な説明】
【技術分野】
【０００１】
相互参照の相互参照
この出願は、２０１８年５月２１日に出願された「Ａ  ＳＭＡＲＴ  ＳＨＡＶＩＮＧ  ＳＹＳＴＥＭ  ＷＩＴＨ  Ａ  ３Ｄ  ＣＡＭＥＲＡ」と題された米国仮特許出願第６２／６７４，０９９号に対する米国特許法第１１９条に基づく利益を主張し、参照により本明細書に組み込まれる。
【０００２】
本開示は、かみそりハンドル、および１つ以上のブレードを有する交換可能なカートリッジを有するシェービングかみそりを有するスマートシェービングシステムに関する。より具体的には、本開示は、シェービングかみそりのユーザーを支援する３Ｄカメラを有するスマートシェービングシステムに関する。
【背景技術】
【０００３】
最適なシェービング結果を達成するためには、ユーザーの固有の身体的特性、例えば、皮膚輪郭、皮膚タイプ、皮膚特性、ほくろ、傷跡、埋没毛、成長、毛タイプ、および毛の太さに、シェービングかみそりの選択を合わせると便利である。加えて、ユーザーが（例えば、視覚精査または２Ｄ（二次元）カメラを使用して）上記のようなユーザーに固有の身体的特性を決定すること、ならびに特定の皮膚表面領域が適切に剃られているかどうかを決定することは、しばしば困難である。したがって、（ｉ）ユーザーの固有の身体的特性を決定するのを支援し、その決定が次に、ユーザーの固有の身体的特性に、シェービングかみそりの選択を合わせるのを支援する、および（ｉｉ）特定の皮膚表面領域が適切に剃られているかどうかを決定するのを支援する、システムが必要である。
【発明の概要】
【０００４】
本開示は、シェービングかみそりのユーザーを支援するように、３Ｄ（三次元）カメラを有するスマートシェービングシステムを提供する。
【０００５】
本開示はまた、シェービングかみそりのユーザーを支援するように、３Ｄカメラを有するスマートシェービングシステムを提供し、この３Ｄカメラは、かみそりに組み込まれている。
【０００６】
本開示はまた、シェービングかみそりのユーザーを支援するように、３Ｄカメラを有するスマートシェービングシステムを提供し、この３Ｄカメラは、かみそりのユーザーが特定の皮膚表面領域が適切に剃られているかどうかを決定するのを支援するように、かみそりに組み込まれる。
【０００７】
本開示はまた、シェービングかみそりに組み込まれた３Ｄカメラを有するスマートシェービングシステムを提供し、このかみそりは、スタンドアロンのモノのインターネット（ＩｏＴ）デバイスとして機能するように、ハードウェア／ソフトウェア能力を有する。
【０００８】
本開示はさらに、シェービングかみそりのユーザーを支援するように、３Ｄカメラを有するスマートシェービングシステムを提供し、この３Ｄカメラは、（ｉ）特定の身体領域の皮膚表面が適切に剃られているかどうかを決定する、および／または（ｉｉ）（シェービングの前に３Ｄスキャンが実行されて、記憶されることによって）シェービングの間ユーザーに案内するために、剃られる身体領域（例えば、顔、脚など）の３Ｄスキャンをユーザーが実行することを可能にするように、かみそりに組み込まれている。
【０００９】
本開示はさらに、シェービングかみそりのユーザーを支援するように、３Ｄカメラを有するスマートシェービングシステムを提供し、この３Ｄカメラは、シェービングかみそりに通信可能に接続されている。
【００１０】
本開示はさらに、シェービングかみそりのユーザーを支援するように、３Ｄカメラを有するスマートシェービングシステムを提供し、この３Ｄカメラは、かみそりのユーザーが特定の皮膚表面領域が適切に剃られているかどうかを決定するように、シェービングかみそりに通信可能に接続されている。
【００１１】
本開示はさらに、シェービングかみそりのユーザーを支援するように、３Ｄカメラを有するスマートシェービングシステムを提供し、この３Ｄカメラは、モノのインターネット（ＩｏＴ）ゲートウェイを介してかみそりカートリッジベンダープラットフォームに通信可能に接続されている。
【００１２】
本開示はさらに、シェービングかみそりのユーザーを支援するように、３Ｄカメラを有するスマートシェービングシステムを提供し、この３Ｄカメラは、（ｉ）特定の身体領域の皮膚表面が適切に剃られているかどうかを決定する、および／または（ｉｉ）（シェービングの前に３Ｄスキャンが実行されて、記憶されることによって）シェービングの間ユーザーに案内するために、剃られる身体領域（例えば、顔、脚など）の３Ｄスキャンをユーザーが実行することを可能にするように、シェービングかみそりに通信可能に接続されている。
【００１３】
本開示はさらに、シェービングかみそりのユーザーを支援するように、３Ｄカメラを有するスマートシェービングシステムを提供し、この３Ｄカメラは、（ｉ）特定の皮膚表面領域が適切に剃られているかどうかをユーザーが決定するのを支援するように、かつ／または（ｉｉ）特定のユーザーの身体的特性（例えば、皮膚および／または毛）に適したシェービングカートリッジおよび／またはかみそりのタイプに関してユーザーを支援するように、モノのインターネット（ＩｏＴ）ゲートウェイを介して、シェービングかみそりおよび／またはかみそりカートリッジベンダープラットフォームに通信可能に接続されている。
【００１４】
本開示はさらに、３Ｄカメラ、かみそり、かみそりカートリッジベンダープラットフォーム、および／または他のリンクされたデバイスが、特定のユーザーの身体的特徴（例えば、毛と皮膚タイプ）、過去のシェービングカートリッジ情報、および／または特定のユーザーの身体的特性（例えば、皮膚および／または毛）に適したシェービングカートリッジ、および／またはかみそりのタイプ、過去のシェービングカートリッジ情報、およびシェービング習慣に関して特定のユーザーを支援するためのシェービング習慣を、アクセス、および／または累積的に収集、保存、および／または分析することができる、スマートシェービングシステムを提供する。
【図面の簡単な説明】
【００１５】
【図１】シェービングカートリッジの実施例の斜視図である。
【図２】シェービングカートリッジの上面図である。
【図３】図２の線Ａ−Ａに沿ったシェービングカートリッジの断面図である。
【図４】ハンドルおよびシェービングカートリッジを有するかみそりの斜視図である。
【図５】ハンドルおよびシェービングカートリッジを有するかみそりの別の斜視図である。
【図６ａ】本開示の実施形態による、かみそりおよび外部通信基盤の様々な電気／電子コンポーネント、ならびにかみそりと外部通信基盤との間の通信経路を示す概略図である。
【図６ｂ】本開示の別の実施形態による、かみそりの様々な電気／電子コンポーネント、ならびにかみそり、外部デバイス、および外部通信基盤の間の通信経路を示す概略図である。
【図７】例示的な実施形態による、方法の論理フローチャートである。
【図８】別の例示的な実施形態による、方法の論理フローチャートである。
【図９】さらに別の例示的な実施形態による、方法の論理フローチャートである。
【図１０】本明細書の実施形態による、コンピュータ可読記憶媒体である。
【図１１】本明細書で１つ以上の論理フローを実装するための通信デバイスの一実施形態である。
【図１２】本開示のシステムの一実施形態である。
【００１６】
複数の図面に共通する、コンポーネントまたは特徴は、図面の各々で同じ参照番号で示されている。
【発明を実施するための形態】
【００１７】
図面、特に図１を参照すると、シェービングカートリッジが示されており、概して参照番号１００によって表されている。シェービングカートリッジ１００は、ブレード１１７をシェービングカートリッジ１００に固定するためのリテーナ２００を含む。シェービングカートリッジ１００はまた、前縁部１０１、後縁部１０３、一対の側縁部１０５、１０７、上面１０９、および下面１１１を有するハウジングを有する。一対の側縁部１０５、１０７は、ハウジングの前縁部１０１とハウジングの後縁部１０３との間に延在する。シェービングカートリッジ１００は、ハウジングの前縁部１０１に隣接するガードバー１１３、およびハウジングの後縁部１０３に隣接するキャップ１１５を含む。潤滑ストリップ１１６は、キャップ１１５の表面上に提供されることができる。１つ以上のブレード１１７は、ガードバー１１３とキャップ１１５との間に位置決めされ、１つ以上の保持要素（複数可）、例えば、ハウジング内に位置決めされた一対のリテーナ２００を使用して、ハウジング内の所定の位置に保持される。図１に示されているシェービングカートリッジ１００は、一対のリテーナ２００を使用してハウジング内の所定の位置に保持される５つのブレード１１７を含むが、任意の数のブレードが使用されることができ、任意の数および／またはタイプの保持要素（複数可）、例えば、１つ以上の保持クリップが、ブレード（複数可）を所定の位置に保持するように好適な場（複数可）に提供されることができる。加えて、潤滑ストリップ１１６は、キャップ１１５上に提供されるものとして実施例において示されているが、潤滑ストリップが、カートリッジの他の任意の領域、例えば、ガードバー１１３上に、および／またはリテーナ（複数可）２００上に提供されることができる。
【００１８】
図２〜図３を参照すると、リテーナ２００は、間隔を置いて配置されており、ハウジングの両側に位置決めされている。リテーナ２００は、ハウジングの側縁部１０５および１０７に沿って延在しており、ハウジング内のブレード１１７の位置を保持するように、ハウジングの上面１０９上に、および１つ以上のブレード１１７上に延在する、上部部分２０１を含む。リテーナ２００は、金属で作られることができる。リテーナ２００は、ブレード１１７に物理的に接触するので、リテーナ２００および１つ以上のブレードは、電気経路を形成することができる。
【００１９】
この実施形態において、リテーナ２００は、例えば、約８．５ｍｍの側縁部１０５および１０７上の長さＬに沿って延在する。しかしながら、リテーナ２００は、側縁部１０５および１０７の、より短い部分、またはより長い部分に沿って延在することができることを理解されたい。例えば、一対のリテーナ２００は、各々、側縁部１０５および１０７の全長、より短い部分、またはより長い部分に沿って延在することができる。そのような延長部は、例えば、ガードバー、キャップ要素、またはトリマーアセンブリを所定の場所に固定することができる。加えて、上記のように、任意の数のリテーナ２００は、シェービングカートリッジ１００と共に使用されることができる。例えば、単一のリテーナ２００、または４つのリテーナ２００は、ハウジング内のブレード１１７の位置を保持するように使用されることができる。
【００２０】
図４〜図５は、ハンドル１９９およびカートリッジ１００を有する例示的なかみそり１を示す。この例示的な実施形態において、潤滑剤、化粧品、および／または他の材料を選択的に生成するように設計された「スマート」ポリマー１１５０は、カートリッジ上に提供されることができる。「スマート」ポリマーは、少なくとも１つの環境刺激に曝されたときに、特定の方法で応答するように設計された人工材料である。環境刺激は、温度、ｐＨ、湿度／水分、酸化還元、重量、電気刺激、化学的刺激、ライト（波長、および／または強度）、電気／磁界、および／または電気化学的刺激を含むことができる。スマートポリマー１１５０の場は、図１〜図２に示されている、キャップ１１５の表面に実質的に対応する。加えて、図６ａおよび図６ｂに示されているように、様々なコンポーネント（電気および／または電子コンポーネントを含む）、および回路は、本開示の様々な態様を実装するように、かみそりの中、または上に提供されることができる。
【００２１】
図６ａは、本開示の一実施形態による、（ｉ）カートリッジ１００、ハンドル１９９、およびスマートポリマーストリップ１１５０を有するかみそり１（図６ａの左側に示されている）の電気および／または電子コンポーネント、（ｉｉ）外部通信基盤６２００（図６ａの右側に示されている）の電子コンポーネント、および（ｉｉｉ）かみそり１と外部通信基盤６２００との間の様々な接続および通信経路、の様々な実施例を示す。
【００２２】
図６ａに示されている、かみそり１は、電気的および／または通信可能に接続されている、以下の例示的なコンポーネントである、電気センサー６００１、電気センサー６００１に加えて提供されることができる、化学センサー６００２、３Ｄカメラ６１１５、視覚（例えば、ライト）、触覚および／または音通知を生成するように構成されることができる、通知ユニット６００３ａ、コントローラ、処理ユニット、および／またはメモリを含むように構成されることができる、制御ユニット６００４、ローカル電源６００５（例えば、バッテリー）、外部電源接続および／または外部データ接続のためのインターフェースとして構成されることができる、インターフェースユニット６００６ａ、無線通信のためのトランシーバユニット６００７ａ、およびアンテナ１５１８ａ、を含む。ユニット６００６ａおよび６００７ａに関連して使用され得る、いくつかの通信技術は、セルラー、衛星、ＷｉＦｉ、Ｂｌｕｅｔｏｏｔｈ、低電力広域ネットワーク（ＬＰＷＡＮ）、またはイーサネットを介してインターネットに直接接続することを含む。利用されることができる、いくつかのデータ転送プロトコルは、例えば、ハイパーテキスト転送プロトコル（ＨＴＴＰ）、メッセージキューイングテレメトリトランスポート（ＭＱＴＴ）、制約付きアプリケーションプロトコル（ＣｏＡＰ）を含むが、これらの実施例には限定されない。
【００２３】
電気センサー６００１は、ブレード（複数可）１１７のブレード摩耗のレベルに関する測定パラメータを検出するように構成されることができる。電気センサー６００１は、例えば、ブレード摩耗のレベルを示すブレード（複数可）１１７の物理的および／または電気化学的特性を検出するように、電気感知技術および／または電気化学的感知技術のうちの１つ以上を使用することができる。例えば、ブレード摩耗のレベルは、１つ以上のブレード（複数可）１１７に適用されたコーティングの枯渇のレベルに基づいて決定され得、その枯渇のレベルは、次に、１つ以上のブレード（複数可）１１７の電気化学的特性および／または電気化学的特性に影響を与える。この実施例は、限定的なものとして解釈されるべきではない。加えて、または代替的に、化学センサー６００２から出力される測定パラメータ（例えば、ブレード摩耗を示す材料コーティングのレベルに関するパラメータ）を使用して、ブレード（複数可）１１７のブレード摩耗のレベルを決定することができる。電気センサー６００１および／または化学センサー６００２からの出力情報は、ブレード摩耗のレベルを決定するように、基準閾値パラメータレベルと比較されることができる。
【００２４】
例示的な実施形態において、制御ユニット６００４は、例えば、ブレード１１７がカートリッジ１００の交換を必要とするほど十分に摩耗している、ブレード１１７の摩耗のレベルに関する表示を（例えば、通知ユニット６００３ａを介して）出力するように、電気センサー６００１および／または化学センサー６００２から出力された情報を受信および処理する。通知ユニット６００３ａは、（ｉ）ライト表示（例えば、異なる色のＬＥＤライトを使用する）、（ｉｉ）聴覚的表示（例えば、異なる音のレベルおよび／またはパターンを使用する）、および／または（ｉｉｉ）触覚的表示（例えば、異なる触覚強度および／またはパターンを使用する）、のうちの少なくとも１つによって、ブレード１１７の摩耗のレベルの表示（ブレード１１７を含むカートリッジを交換するための表示を含む）を提供することができる。代替的に、ユーザーは、ブレード１１７がカートリッジ１００の交換を必要とするほど十分に摩耗していることを、手動で決定することができる。
【００２５】
制御ユニット６００４はまた、（ｉ）３Ｄカメラ６１１５から出力された情報を受信および処理し、および／または（ｉｉ）視覚情報をキャプチャおよび／または出力するように３Ｄカメラ６１１５を制御することができる。例示的な一実施形態において、３Ｄカメラ６１１５の記録機能が作動されるときに、３Ｄカメラ６１１５は、画像（例えば、ユーザーの皮膚表面の）をキャプチャすることができる。この場合において、図６ａに示されているように、３Ｄカメラ６１１５によってキャプチャされた情報は、制御ユニット６００４によって処理され、および／または、例えば、３Ｄカメラ６１１５の表示要素を介して、表示のために提示されることができる。
【００２６】
制御ユニット６００４は、ブレード摩耗の速度を分析および／または決定するように、ブレード摩耗の決定されたレベル（または対応する残りの量／割合）に関する情報を累積的に収集および／または記憶することができる。加えて、制御ユニット６００４は、（ｉ）ユーザーの特定の皮膚特性および／または毛特性に関して３Ｄカメラ６１１５によってキャプチャされた情報、および／または（ｉｉ）ユーザーまたは特定の皮膚特性および／または毛特性に関するデータベースからのデータによって提供されたデータ、と併せて、ブレード摩耗率を分析することができ、これにより、個々のユーザーの身体的特性および／またはかみそりの使用のカスタマイズされた分析、およびデータ収集が可能になる。ブレード摩耗に関するデータ、特定の皮膚特性および／または毛特性に関するデータ、および／または３Ｄカメラ６１１５によってキャプチャされた情報は、かみそり内、クラウドデータベース内、または外部デバイス内（例えば、ＩｏＴ接続デバイス）に（部分的または全体的に）記憶されることができる。
【００２７】
制御ユニット６００４、電気センサー６００１、化学センサー６００２から出力された情報、決定された摩耗のレベル（または対応する残りのブレード使用）に関する情報、および／または３Ｄカメラ６１１５によってキャプチャされた情報は、かみそり１から（ｉ）トランシーバ６００７ａを介して無線で、および／または（ｉｉ）外部電源／データ接続のためのインターフェースユニット６００６ａを通した有線接続を介して、ＩｏＴゲートウェイ６０２０に伝送されることができる。加えて、トランシーバ６００７ａは、無線で接続されることができ、および／またはインターフェース６００６ａは、有線接続を介して、３Ｄカメラおよびディスプレイと共に提供されることができる、モバイルデバイス６０４０（例えば、携帯電話またはタブレット）に接続されることができる。
【００２８】
図６ａに示されている例示的な一実施形態において、かみそり１の回路は、それ自体によってインターネットプロトコル（ＩＰ）対応であるユニットとして構成され得、かみそり１との間の情報フローは、例えば、ＩｏＴゲートウェイ６０２０としての役割をもつＷｉＦｉルータを通してルーティングされる。代替的に、かみそり１の回路は、それ自体によってインターネットプロトコル（ＩＰ）対応でないユニットとして構成され得、その場合、ＩｏＴゲートウェイは、インターネット／クラウドを介した通信に関与する機能、例えば、プロトコル変換、暗号化、処理、データ管理などを実行する。他の通信技術は、セルラー、衛星、ＷｉＦｉ、Ｂｌｕｅｔｏｏｔｈ、低電力広域ネットワーク（ＬＰＷＡＮ）、またはイーサネットを介してインターネットに直接接続することを含み得るが、これらの実施例には限定されない。情報は、クラウドネットワーク６０２１およびＩｏＴプラットフォーム６０２２を介して、ＩｏＴゲートウェイ６０２０からカートリッジベンダープラットフォーム６０２３にルーティングされ得る。ＩｏＴプラットフォーム６０２２は、図６ａのクラウドネットワーク６０２１とは別に示されているが、クラウドネットワーク６０２１は、ＩｏＴプラットフォーム６０２２を包含することができる。本開示で使用される場合、「クラウドネットワーク」という用語は、インターネットおよび関連する接続基盤を包含する。
【００２９】
加えて、かみそり１は、追加的に、自然言語入力および／または出力の取り扱いを可能にする、ハードウェア（例えば、双方向マイクロフォン／スピーカー）および／またはソフトウェア（例えば、自然言語処理（ＮＬＰ））要素と共に提供されることができる。自然言語処理は、制御ユニット６００４、クラウドネットワーク６０２１、ＩｏＴプラットフォーム６０２２、および／またはカートリッジベンダープラットフォーム６０２３で実行されることができる。
【００３０】
例示的な一実施形態において、ユーザーデータ（例えば、ユーザーの毛の太さ、皮膚特性、皮膚輪郭、顔輪郭に関するデータおよび／または情報、および／またはかみそり１が適用されている皮膚表面領域に関する３Ｄカメラ６１１５によってキャプチャされた画像情報）は、コントローラ６００４、モバイルデバイス６０４０、カートリッジベンダープラットフォーム６０２３、および／またはＩｏＴプラットフォーム６０２２に（部分的または全体的に）記憶され得る。１つの実施例において、カートリッジベンダープラットフォーム６０２３は、（ｉ）例えば、最適なかみそりモデルおよび／またはかみそりカートリッジモデルに関する提案を提供し得え、および／または（ｉｉ）３Ｄカメラ６１１５および／またはモバイルデバイス６０４０を介して出力され得る情報である、個々のユーザーのかみそりの使用（例えば、３Ｄカメラによって画像化および／またはスキャンされた皮膚表面領域が適切に剃られているかどうか）、皮膚特性、毛特性、歴史的に好ましいかみそりカートリッジのモデル、および／または数量パッケージなどに関する情報（視覚、音声、および／またはデータ）をかみそり１および／またはモバイルデバイス６０４０に伝送し得る。別の実施例において、かみそり１の３Ｄカメラ６１１５は、（ｉ）特定の身体領域の皮膚表面が適切に剃られているかどうかを決定する、かつ／または（ｉｉ）（シェービングの前に３Ｄスキャンが実行されて、記憶されることによって）シェービングの間ユーザーに案内するために、剃られる身体領域（例えば、顔、脚など）の３Ｄスキャンを実行するように、ユーザーによって使用されることができる。
【００３１】
図６ｂは、本開示の別の実施形態による、かみそり１と外部通信基盤６２００との間の様々な接続および通信経路を示している。図６ｂに示されている実施形態において、３Ｄカメラ６１１５（表示要素を含むことができる）は、かみそり１とは別に提供され、かみそり１とは完全に独立して使用されることができる。代替的に、図６ｂに示されているように、３Ｄカメラ６１１５および／または３Ｄカメラを有するモバイルデバイス６０４０は、（ｉ）トランシーバ６００７ａに無線で通信可能に接続され、および／または（ｉｉ）有線接続を介してインターフェースユニット６００６ａに通信可能に接続されることができる。通信接続が無線であるか有線であるかに関係なく、３Ｄカメラ６１１５および／または３Ｄカメラを有するモバイルデバイス６０４０はまた、かみそり１に機械的に結合されることができ、それにより、かみそり１が使用されている間、シェービング表面に関する監視およびフィードバックを可能にする。図６ｂに示されている例示的な実施形態において、モバイルデバイス６０４０および／または３Ｄカメラ６１１５は、インターネットプロトコル（ＩＰ）対応デバイスとして構成されることができ、かみそり１の回路は、それ自体によってインターネットプロトコル（ＩＰ）対応である必要はないが、例示的な実施形態は、かみそり１の回路がそれ自体によってＩＰ対応であることを排除するものではない。
【００３２】
図６ｂに示されている例示的な実施形態の１つの通信経路において、制御ユニット６００４、電気センサー６００１、化学センサー６００２、３Ｄカメラ６１１５から出力される情報、決定された摩耗のレベル（または対応する残りのブレード使用）に関する情報、および／またはユーザーの身体的特性に関する情報（例えば、ユーザーの毛の太さ、皮膚特性、皮膚輪郭、顔輪郭に関するデータおよび／または情報、および／またはユーザーの皮膚表面領域に関して３Ｄカメラ６１１５によってキャプチャされた画像情報）は、かみそり１（例えば、ユーザーが浴室でかみそり１を使用している間）および／または３Ｄカメラ６１１５からモバイルデバイス６０４０に伝送されることができる。１つの実施例では、かみそり１に通信可能に接続された３Ｄカメラ６１１５は、（ｉ）特定の身体領域の皮膚表面が適切に剃られているかどうかを決定する、および／または（ｉｉ）（シェービングの前に３Ｄスキャンが実行されて、記憶されることによって）シェービングの間ユーザーに案内するために、剃られる身体領域（例えば、顔、脚など）の３Ｄスキャンを実行するように、ユーザーによって使用されることができる。
【００３３】
モバイルデバイス６０４０は、クライアント（複数可）（例えば、１つ以上のアプリケーションソフトウェアまたは「アプリ」）と共に提供されることができ、例えば、インターネットを介した情報の伝送、データ分析、および／または取得した情報の記憶など、図６ａに示されているかみそり１の回路コンポーネントによって実行される機能のいくつか、またはすべてを実行する。モバイルデバイス６０４０によって受信された情報は、ＩｏＴゲートウェイ６０２０、例えば、ＷｉＦｉルータにルーティングされ得、続いて、クラウドネットワーク６０２１およびＩｏＴプラットフォーム６０２２を介してカートリッジベンダープラットフォーム６０２３にルーティングされ得る。モバイルデバイス６０４０からルーティングされた情報に基づいて、カートリッジベンダープラットフォーム６０２３および／またはＩｏＴプラットフォーム６０２２は、適切なフィードバック情報、例えば、ユーザーにとって最適なかみそりモデル、ユーザーにとって最適なかみそりカートリッジモデル、および／または３Ｄカメラ６１１５によって画像化されたユーザーの皮膚表面領域が適切に剃られているかどうかに関する情報（視覚、音声、および／またはデータ）を提供することができる。ＩｏＴプラットフォーム６０２２は、図６ａのクラウドネットワーク６０２１とは別に示されているが、クラウドネットワーク６０２１は、ＩｏＴプラットフォーム６０２２を包含し得る。他の通信技術は、セルラー、衛星、ＷｉＦｉ、Ｂｌｕｅｔｏｏｔｈ、低電力広域ネットワーク（ＬＰＷＡＮ）、またはイーサネットを介してインターネットに直接接続することを含むが、これらの実施例には限定されない。利用され得る、いくつかのデータ転送プロトコルは、例えば、ハイパーテキスト転送プロトコル（ＨＴＴＰ）、メッセージキューイングテレメトリトランスポート（ＭＱＴＴ）、および制約付きアプリケーションプロトコル（ＣｏＡＰ）を含むが、これらの実施例には限定されない。
【００３４】
図６ｂに示されている例示的な実施形態の別の通信経路において、制御ユニット６００４、電気センサー６００１、化学センサー６００２から出力された情報、決定された摩耗のレベル（または対応する残りのブレード使用）に関する情報、および／またはユーザーの身体的特性（例えば、ユーザーの毛の太さ、皮膚特性、皮膚輪郭、顔輪郭に関するデータおよび／または情報）に関する情報は、かみそり１から（例えば、ユーザーが浴室でかみそり１を使用している間）、クライアント（複数可）（例えば、１つ以上のアプリケーションソフトウェア）と共に提供されることができる、３Ｄカメラ６１１５に伝送されることができ、図６ａに示されているかみそり１の回路コンポーネントによって実行されている機能、例えば、伝送するインターネットを介した情報、データ分析、および／または取得した情報の記憶のいくつか、またはすべてを実行することができる。３Ｄカメラ６１１５によって受信された情報は、ユーザーの皮膚表面領域に関して３Ｄカメラ６１１５によってキャプチャされた画像情報と共に、ＩｏＴゲートウェイ６０２０、例えば、ＷｉＦＩルータにルーティングされ得、続いて、クラウドネットワーク６０２１およびＩｏＴプラットフォーム６０２２を介して、カートリッジベンダープラットフォーム６０２３にルーティングされ得る。３Ｄカメラ６１１５からルーティングされた情報に基づいて、カートリッジベンダープラットフォーム６０２３および／またはＩｏＴプラットフォーム６０２２は、適切なフィードバック情報、例えば、ユーザーにとって最適なかみそりモデル、ユーザーにとって最適なかみそりカートリッジモデル、および／または３Ｄカメラ６１１５によって画像化されたユーザーの皮膚表面領域が適切に剃られているかどうかに関する情報（視覚、音声、および／またはデータ）を提供することができる。他の通信技術は、セルラー、衛星、ＷｉＦｉ、Ｂｌｕｅｔｏｏｔｈ、低電力広域ネットワーク（ＬＰＷＡＮ）、またはイーサネットを介してインターネットに直接接続することを含み得る、これらの実施例には限定されない。
【００３５】
図６ｂに示される例示的なシステムでは、情報および／または情報の処理は、２つ以上のかみそり１、３Ｄカメラ６１１５、モバイルデバイス６０４０、ＩｏＴゲートウェイ６０２０、クラウドネットワーク６０２１、ＩｏＴプラットフォーム６０２２および／またはカートリッジベンダープラットフォーム６０２３間で共有されることができる。例えば、（情報源に関係なく）情報の処理は、制御ユニット６００４、３Ｄカメラ６１１５、モバイルデバイス６０４０、クラウドネットワーク６０２１、ＩｏＴプラットフォーム６０２２、および／またはカートリッジベンダープラットフォーム６０２３で実行されることができる。加えて、情報（例えば、音声、視覚、および／またはデータ）の入力／出力は、３Ｄカメラ６１１５、かみそり１上、またはその中にオプションで提供されている双方向マイクロフォン／スピーカー、および／またはモバイルデバイス６０４０を介して実装されることができる。
【００３６】
図６ｂに示されている例示的なシステムにおける分散機能の一実施例として、３Ｄカメラ６１１５によってキャプチャされた（例えば、ユーザーの皮膚表面の）画像情報は、モバイルデバイス６０４０（例えば、ディスプレイのため）に、および／またはカートリッジベンダープラットフォーム６０２３（例えば、分析のため）に伝送されることができる。加えて、電気センサー６００１からのセンサーデータは、３Ｄカメラ６１１５および／またはモバイルデバイス６０４０（例えば、ユーザーが、電気センサー６００１が提供されているカートリッジを使用している間）に伝送されることができ、およびユーザーの音声コマンドおよび／またはクエリーは、かみそり１上、またはその中にオプションで提供されている双方向マイクロフォン／スピーカー、またはモバイルデバイス６０４０のマイクロフォン／スピーカーを介して入力されることができる。加えて、カートリッジベンダープラットフォーム６０２３からの応答送信に含まれる情報は、かみそり１のマイクロフォン／スピーカー（例えば、音声のため）、モバイルデバイス６０４０（例えば、音声、視覚、および／またはテキストデータのため）、および／または３Ｄカメラ６１１５のディスプレイ画面を介して（例えば、視覚、および／またはテキストデータのため）出力されることができる。
【００３７】
図７は、例えば、シェービングおよび／またはシェービングかみそりの選択／交換に関連して、ユーザーを支援するように、３Ｄカメラを使用する例示的な方法の論理フロー７００を示している。ブロック７００１で、ユーザーの皮膚表面およびユーザーの身体輪郭のうちの少なくとも１つの画像は、３Ｄカメラ（例えば、３Ｄカメラ６１１５、またはモバイルデバイス６０４０の３Ｄカメラ）によって、記録、および／またはスキャンされている。ブロック７００２で、３Ｄカメラに通信可能に接続された制御ユニット（例えば、制御ユニット６００４、３Ｄカメラ６１１５の制御ユニット、モバイルデバイス６０４０の制御ユニット、カートリッジベンダープラットフォーム６０２３の制御ユニット、および／またはＩｏＴプラットフォーム６０２２の制御ユニット）は、３Ｄカメラによって記録された画像の画像データを処理して、ユーザーの皮膚表面およびユーザーの身体輪郭（例えば、あご領域、首領域、脚領域など）のうちの少なくとも１つの少なくとも１つの身体的特性を決定する。ブロック７００３で、フィードバック情報は、少なくとも１つの身体的特性、（ｉ）少なくとも１つの身体的特性に適したシェービングカートリッジ、（ｉｉ）少なくとも１つの身体的特性に適したシェービングかみそり、および（ｉｉｉ）３Ｄカメラによって記録された、ユーザーの皮膚表面およびユーザーの身体輪郭のうちの少なくとも１つに残っている毛の量、のうちの少なくとも１つに関するフィードバック情報に基づいて（例えば、カートリッジベンダープラットフォーム６０２３、および／またはカートリッジベンダープラットフォーム６０２３の制御ユニットなどのフィードバック要素の助けを借りて）、提供されている。フィードバック情報は、フィードバック要素からインターネット、およびインターネットゲートウェイ６０２０を介して３Ｄカメラ（例えば、３Ｄカメラ６１１５、またはモバイルデバイス６０４０の３Ｄカメラ）に伝送されることができる。ブロック７００４で、出力ユニット（例えば、３Ｄカメラ６１１５のディスプレイ、モバイルデバイス６０４０の３Ｄカメラのディスプレイ、モバイルデバイス６０４０のマイクロフォン／スピーカー、および／またはかみそり１のオプションのマイクロフォン／スピーカー）は、フィードバック情報をユーザーに出力する。図７に示され、上で記載された論理フロー７００は、情報および／または情報の処理が、かみそり１、３Ｄカメラ６１１５、モバイルデバイス６０４０、ＩｏＴゲートウェイ６０２０、クラウドネットワーク６０２１、ＩｏＴプラットフォーム６０２２、および／またはカートリッジベンダープラットフォーム６０２３のうちの２つ以上の間で共有されることができることを想定している。
【００３８】
図８は、例えば、シェービングおよび／またはシェービングかみそりの選択／交換に関連して、ユーザーを支援するように、３Ｄカメラを使用する別の例示的な方法の論理フロー８００を示している。ブロック８００１で、ユーザーの皮膚表面およびユーザーの身体輪郭のうちの少なくとも１つの画像は、かみそり１の３Ｄカメラ６１１５によって、記録、および／またはスキャンされている。ブロック８００２で、３Ｄカメラによって記録された画像の画像データは、インターネットに接続されたインターネットゲートウェイを介して、インターネットに接続されたベンダープラットフォーム（例えば、カートリッジベンダープラットフォーム６０２３）に、伝送される。ブロック８００３で、ベンダープラットフォームに通信可能に接続された制御ユニット（例えば、制御ユニット６００４、カートリッジベンダープラットフォーム６０２３の制御ユニット、および／またはＩｏＴプラットフォーム６０２２の制御ユニット）は、３Ｄカメラ６１１５によって記録された画像の画像データを処理して、ユーザーの皮膚表面およびユーザーの身体輪郭のうちの少なくとも１つの少なくとも１つの身体的特性を決定する。ブロック８００４で、フィードバック情報は、少なくとも１つの身体的特性、（ｉ）少なくとも１つの身体的特性に適したシェービングカートリッジ、（ｉｉ）少なくとも１つの身体的特性に適したシェービングかみそり、および（ｉｉｉ）３Ｄカメラ６１１５によって記録された、ユーザーの皮膚表面およびユーザーの身体輪郭のうちの少なくとも１つに残っている毛の量、のうちの少なくとも１つに関するフィードバック情報に基づいて（例えば、カートリッジベンダープラットフォーム６０２３、および／またはカートリッジベンダープラットフォーム６０２３の制御ユニットなどのフィードバック要素の助けを借りて）、提供されている。ブロック８００５で、フィードバック情報は、インターネットに接続されたインターネットゲートウェイを介して、３Ｄカメラ６１１５および／またはかみそり１に伝送される。ブロック８００６で、３Ｄカメラ６１１５の出力ユニット（例えば、３Ｄカメラ６１１５のディスプレイ）、および／またはかみそり１（例えば、かみそり１のオプションのマイクロフォン／スピーカー）は、フィードバック情報をユーザーに出力する。図８に示され、上で記載された論理フロー８００は、情報および／または情報の処理が、３Ｄカメラ６１１５を有するかみそり１、ＩｏＴゲートウェイ６０２０、クラウドネットワーク６０２１、ＩｏＴプラットフォーム６０２２、および／またはカートリッジベンダープラットフォーム６０２３のうちの２つ以上の間で共有されることを想定している。
【００３９】
図９は、例えば、シェービングおよび／またはシェービングかみそりの選択／交換に関連して、ユーザーを支援するように、３Ｄカメラを使用するさらに別の例示的な方法の論理フロー９００を示している。ブロック９００１で、ユーザーの皮膚表面およびユーザーの身体輪郭の少なくとも１つの画像は、機械的に、および／または通信可能にかみそり（例えば、かみそり１）に接続または結合されている３Ｄカメラ（例えば、３Ｄカメラ６１１５またはモバイルデバイス６０４０の３Ｄカメラ）によって、記録、および／またはスキャンされる。ブロック９００２で、３Ｄカメラによって記録された画像の画像データは、インターネットに接続されたインターネットゲートウェイを介して、インターネットに接続されたベンダープラットフォーム（例えば、カートリッジベンダープラットフォーム６０２３）に、伝送される。ブロック９００３で、ベンダープラットフォームに通信可能に接続された制御ユニット（制御ユニット６００４、３Ｄカメラ６１１５の制御ユニット、モバイルデバイス６０４０の制御ユニット、カートリッジベンダープラットフォーム６０２３の制御ユニット、および／またはＩｏＴプラットフォーム６０２２の制御ユニット）は、３Ｄカメラ６１１５によって記録された画像の画像データを処理して、ユーザーの皮膚表面およびユーザーの身体輪郭のうちの少なくとも１つの少なくとも１つの身体的特性を決定する。ブロック９００４で、フィードバック情報は、少なくとも１つの身体的特性、（ｉ）少なくとも１つの身体的特性に適したシェービングカートリッジ、（ｉｉ）少なくとも１つの身体的特性に適したシェービングかみそり、および（ｉｉｉ）３Ｄカメラ６１１５によって記録された、ユーザーの皮膚表面およびユーザーの身体輪郭のうちの少なくとも１つに残っている毛の量、のうちの少なくとも１つに関するフィードバック情報に基づいて（例えば、カートリッジベンダープラットフォーム６０２３、および／またはカートリッジベンダープラットフォーム６０２３の制御ユニットなどのフィードバック要素の助けを借りて）、提供されている。ブロック９００５で、フィードバック情報は、インターネットに接続されたインターネットゲートウェイを介して、３Ｄカメラ（例えば、３Ｄカメラ６１１５、またはモバイルデバイス６０４０の３Ｄカメラ）および／またはかみそり１に伝送される。ブロック９００６で、３Ｄカメラの出力ユニット（例えば、３Ｄカメラ６１１５のディスプレイ、モバイルデバイス６０４０の３Ｄカメラのディスプレイ、および／または３Ｄカメラを有するモバイルデバイス６０４０のマイクロフォン／スピーカー）、および／またはかみそり（例えば、かみそり１のオプションのマイクロフォン／スピーカー）は、フィードバック情報をユーザーに出力する。図９に示され、上で記載された論理フロー９００は、情報および／または情報の処理が、かみそり１、３Ｄカメラ６１１５、モバイルデバイス６０４０、ＩｏＴゲートウェイ６０２０、クラウドネットワーク６０２１、ＩｏＴプラットフォーム６０２２、および／またはカートリッジベンダープラットフォーム６０２３のうちの２つ以上の間で共有されることを想定している。
【００４０】
図７〜図９に図示されている例示的な技術７００、８００、および９００の一部が、部分的に、および／または全体的に修正され、および／または組み合わせられることができることに留意されたい。
【００４１】
図１０は、製造物品を含むことができる、記憶媒体１１００の実施形態を示し、例えば、記憶媒体１１００は、光学的、磁気的、または半導体記憶などの、任意の非一時的なコンピュータ可読媒体、または機械可読媒体を含むことができる。記憶媒体１１００は、様々なタイプのコンピュータ実行可能命令、例えば１１２０を記憶することができる。例えば、記憶媒体２０００は、技術７００、８００、および９００を実装するように、様々なタイプのコンピュータ実行可能命令を記憶することができる。さらに、そのような命令は、本明細書に記載の技術を実行するように、例えば、制御ユニット６００４、コンピュータ６０３０、および／またはモバイルデバイス６０４０によって実行されることができる。
【００４２】
コンピュータ可読記憶媒体、または機械可読記憶媒体のいくつかの実施例は、電子データを記憶することが可能な有形媒体、例えば、揮発性メモリまたは不揮発性メモリ、取り外し可能または取り外し不可能なメモリ、消去可能または消去不可能なメモリ、書き込み可能または再書き込み可能なメモリなど、を含むことができる。コンピュータ実行可能命令のいくつかの実施例は、好適なタイプのコード、例えば、ソースコード、コンパイルされたコード、解釈されたコード、実行可能コード、静的コード、動的コード、オブジェクト指向コード、視覚コードなどを含むことができる。実施例は、この文脈には限定されない。
【００４３】
図１１は、１つ以上の実施形態による、論理フロー７００、論理フロー８００、および論理フロー９００のうちの１つ以上、記憶媒体１１００、コンピュータ６０３０、モバイルデバイス６０４０、およびかみそり１の回路の１つ以上の機能を実装することができる、通信デバイス１５００の実施形態を示する。例示的な一実施形態において、通信デバイス１５００は、例えば、論理フロー７００、論理フロー８００、および論理フロー９００のうちの１つ以上について記載されている動作を実行するように、物理回路を含むことができる、論理回路１５２８を備えることができる。加えて、通信デバイス１５００は、無線インターフェース１５１０、ベースバンド回路１５２０、およびコンピューティングプラットフォーム１５３０を含むことができる。しかしながら、実施形態は、この例示的な構成には限定されない。
【００４４】
通信デバイス１５００は、論理フロー７００、論理フロー８００、および論理フロー９００のうちの１つ以上の構造および／または動作の一部またはすべて、記憶媒体１１００、コンピュータ６０３０、モバイルデバイス６０４０、かみそり１の回路のうちの１つ以上の機能、および論理回路１５２８を、（ｉ）単一のコンピューティング実体、例えば、単一のデバイス中に、または（ｉｉ）分散して、実装することができる。後者の場合において、通信デバイス１５００は、論理フロー７００、論理フロー８００、および論理フロー９００のうちの１つ以上、記憶媒体１１００、コンピュータ６０３０、モバイルデバイス６０４０、かみそり１の回路、ならびに分散システムアーキテクチャ、例えば、マスタースレーブアーキテクチャ、クライアントサーバーアーキテクチャ、ピアツーピアアーキテクチャ、共用データベースアーキテクチャなどを使用する、複数のコンピューティングプラットフォーム、および／または実体にわたる論理回路１５２８の１つ以上の機能の構造、および／または動作の一部を分散することができる。実施形態は、この文脈には限定されない。
【００４５】
例示的な実施形態において、無線インターフェース１５１０は、ＣＣＫ（相補コードキーイング）、ＯＦＤＭ（直交周波数分割多重方式）、および／またはＳＣ−ＦＤＭＡ（シングルキャリア周波数分割多元接続）シンボルなどのシングルキャリア、またはマルチキャリア変調信号を、伝送および／または受信するように適合された１つ以上のコンポーネント（複数可）を含むことができる。無線インターフェース１５１０は、例えば、受信機１５１１、周波数シンセサイザ１５１４、伝送機１５１６、および１つ以上のアンテナ１５１８を含むことができる。しかしながら、実施形態は、これらの実施例には限定されない。
【００４６】
受信信号および／または伝送信号を処理するように無線インターフェース１５１０と通信する、ベースバンド回路１５２０は、アナログ−デジタル変換器、デジタル−アナログ変換器、および受信／伝送信号の物理リンク層処理のためのベースバンド、または物理層（ＰＨＹ）処理回路を含むユニット１５２２を含むことができる。ベースバンド回路１５２０はまた、例えば、インターフェース１５３４を介してコンピューティングプラットフォーム１５３０と通信するためのメモリコントローラ１５３２を含むことができる。
【００４７】
デバイス１５００のためにコンピューティング機能を提供することができる、コンピューティングプラットフォーム１５３０は、プロセッサ１５４０、および他のプラットフォームコンポーネント１７５０、例えば、プロセッサ、メモリユニット、チップセット、コントローラ、周辺機器、インターフェース、入力／出力（Ｉ／Ｏ）コンポーネント、電源などを含むことができる。
【００４８】
デバイス１５００は、例えば、モバイルデバイス、スマートフォン、固定デバイス、マシンツーマシンデバイス、パーソナルデジタルアシスタント（ＰＤＡ）、モバイルコンピューティングデバイス、ユーザー機器、コンピュータ、ネットワークアプライアンス、Ｗｅｂアプライアンス、家庭用電化製品、プログラム可能な家庭用電化製品、ゲームデバイス、テレビ、デジタルテレビ、セットトップボックス、ワイヤレスアクセスポイント、ベースステーション、サブスクライバーステーション、モバイルサブスクライバーセンター、無線ネットワークコントローラー、ルータ、ハブ、ゲートウェイなどであることができる。これらの実施例は、限定的なものではない。
【００４９】
図１２は、バス３１２およびチップセット９０４を介して互いに結合されている、例えば、プロセッサ９０２、チップセット９０４、Ｉ／Ｏ（入力／出力）デバイス９０６、ＲＡＭ（ランダムアクセスメモリ）９０８、例えば、ＤＲＡＭ（ダイナミックＲＡＭ）、およびＲＯＭ（読み取り専用メモリ）９１０、無線通信チップ９１６、グラフィックスデバイス９１８、およびディスプレイ９２０、ならびに他のプラットフォーム構成要素９１４（例えば、冷却システム、ヒートシンク、ベントなど）、含むことができる、プラットフォーム１２００として構成されている例示的なシステムの一実施形態である。実施例は、限定的ではない。
【００５０】
本明細書に記載の技術は、例示的なものであり、本開示に対する特定の制限を意味するものとして解釈されるべきではない。様々な代替、組み合わせ、および修正が、当業者によって工夫されることができることを理解されたい。例えば、本明細書に記載されるプロセスを有するステップは、ステップ自体によって別段の指定、または指示がない限り、任意の順序で実行されることができる。本開示は、添付の特許請求の範囲内にある、そのようなすべての代替、修正、および差異を取り入れることを意図している。
【００５１】
「備える（ｃｏｍｐｒｉｓｅ）」または「備える（ｃｏｍｐｒｉｓｉｎｇ）」という用語は、言及された特徴、完全体、ステップまたはコンポーネントの存在を指定するものとして解釈されるべきであるが、１つ以上の他の特徴、完全体、ステップもしくはコンポーネント、またはそれらのグループの存在を排除するものではない。「ａ」および「ａｎ」という用語は、不定冠詞であり、したがって、複数の冠詞を有する実施形態を排除するものではない。「結合された」、「接続された」および「リンクされた」という用語は、本開示において交換可能に使用され、実質的に同じ意味を有する。
【００５２】
いくつかの実施形態は、それらの派生と共に「１つの実施形態」または「一実施形態」という表現を使用して記載され得る。これらの用語は、実施形態に関連して記載される特定の特徴、構造、または特性が少なくとも１つの実施形態に含まれることを意味する。本明細書の様々な場所での「一実施形態」という句の出現は、必ずしもすべてが同じ実施形態を指すとは限らない。
【００５３】
上に提示された図およびテキスト、ならびに以下の実施例から明らかなように、様々な実施形態が企図されている。
実施形態：
１．シェービング作業でユーザーを支援するように構成されているシステムであって、
ユーザーの皮膚表面およびユーザーの身体輪郭のうちの少なくとも１つの画像を記録するように構成されている３Ｄカメラ（６１１５）と、
３Ｄカメラに通信可能に接続されており、３Ｄカメラによって記録された画像の画像データを処理して、ユーザーの皮膚表面およびユーザーの身体輪郭のうちの少なくとも１つの少なくとも１つの身体的特性を決定するように構成されている制御ユニット（６００４）と、
少なくとも１つの身体的特性に基づいて、フィードバック情報を提供することを助けるように構成されているフィードバック要素（６０２３）であって、フィードバック情報が、（ｉ）少なくとも１つの身体的特性に適したシェービングカートリッジ（１００）、（ｉｉ）少なくとも１つの身体的特性に適したシェービングかみそり、および（ｉｉｉ）３Ｄカメラによって記録されたユーザーの皮膚表面およびユーザーの身体輪郭のうちの少なくとも１つに残っている毛の量のうちの少なくとも１つに関する、フィードバック要素（６０２３）と、
フィードバック情報を出力するように構成されている出力ユニットと、を備える、システム。
２．３Ｄカメラが、インターネットプロトコル（ＩＰ）対応デバイスであり、３Ｄカメラ（６１１５）が、３Ｄカメラによって記録された画像の画像データを伝送するように、インターネットに接続されたインターネットゲートウェイと直接インターフェースするように構成されている、実施形態１に記載のシステム。
３．かみそり（１）をさらに備え、
３Ｄカメラ（６１１５）が、かみそりに通信可能におよび機械的にのうちの少なくとも１つで接続されている、実施形態１または２に記載のシステム。
４．３Ｄカメラ（６１１５）が、かみそり内に提供されている、実施形態３に記載のシステム。
５．制御ユニット（６００４）が、フィードバック要素としての役割をもつベンダープラットフォームに通信可能に接続されており、３Ｄカメラによって記録された画像の画像データが、インターネットに接続されたインターネットゲートウェイを介して制御ユニット（６０２３）に伝送される、実施形態１〜４のいずれか１つに記載のシステム。
６．フィードバック情報が、ベンダープラットフォーム（６０２３）から、インターネットに接続されたインターネットゲートウェイを介して、３Ｄカメラに伝送される、実施形態５に記載のシステム。
７．フィードバック情報が、ベンダープラットフォーム（６０２３）から、インターネットに接続されたインターネットゲートウェイを介して、かみそり（１）に伝送される、実施形態１〜６のいずれか１つと組み合わせて取られる、実施形態３および５に記載のシステム。
８．３Ｄカメラ（６１１５）が、かみそり（１）に機械的に接続されており、出力ユニットが、３Ｄカメラのディスプレイ画面である、実施形態１〜７のいずれか１つと組み合わせて取られる、実施形態３に記載のシステム。
９．３Ｄカメラ（６１１５）が、モバイルデバイス（６０４０）の一部として提供されており、出力ユニットが、モバイルデバイスのディスプレイ画面である、実施形態１〜３または５〜８のいずれか１つに記載のシステム。
１０．シェービング作業でユーザーを支援するための方法であって、
３Ｄカメラ（６１１５）によって、ユーザーの皮膚表面およびユーザーの身体輪郭のうちの少なくとも１つの画像を記録することと、
３Ｄカメラに通信可能に接続された制御ユニット（６００４）によって、３Ｄカメラによって記録された画像の画像データを処理して、ユーザーの皮膚表面およびユーザーの身体輪郭のうちの少なくとも１つの少なくとも１つの身体的特性を決定することと、
フィードバック要素（６０２３）の助けを借りて、少なくとも１つの身体的特性に基づくフィードバック情報を提供することであって、フィードバック情報が、（ｉ）少なくとも１つの身体的特性に適したシェービングカートリッジ（１００）、（ｉｉ）少なくとも１つの身体的特性に適したシェービングかみそり、および（ｉｉｉ）３Ｄカメラによって記録されたユーザーの皮膚表面およびユーザーの身体輪郭のうちの少なくとも１つに残っている毛の量のうちの少なくとも１つに関する、提供することと、
出力ユニットによって、フィードバック情報を出力することと、を含む、方法。
１１．３Ｄカメラ（６１１５）が、インターネットプロトコル（ＩＰ）対応デバイスであり、３Ｄカメラが、３Ｄカメラによって記録された画像の画像データを伝送するように、インターネットに接続されたインターネットゲートウェイと直接インターフェースする、実施形態１０に記載の方法。
１２．３Ｄカメラ（６１１５）が、かみそり（１）に通信可能におよび機械的にのうちの少なくとも１つで接続されている、実施形態１０または１１に記載の方法。
１３．３Ｄカメラ（６１１５）が、かみそり内に提供されている、実施形態１２に記載の方法。
１４．制御ユニット（６００４）が、フィードバック要素としての役割をもつベンダープラットフォームに通信可能に接続されており、３Ｄカメラによって記録された画像の画像データが、インターネットに接続されたインターネットゲートウェイを介して制御ユニット（６０２３）に伝送される、実施形態１０〜１３のいずれか１つに記載の方法。
１５．フィードバック情報が、ベンダープラットフォーム（６０２３）から、インターネットに接続されたインターネットゲートウェイを介して、３Ｄカメラ（６１１５）に伝送される、実施形態１４に記載の方法。
１５．フィードバック情報が、ベンダープラットフォーム（６０２３）から、インターネットに接続されたインターネットゲートウェイを介して、かみそり（１）に伝送される、実施形態１０〜１４のいずれか１つと組み合わせて取られる、実施形態１２および１４に記載の方法。
１６．３Ｄカメラ（６１１５）が、かみそり（１）に機械的に接続されており、出力ユニットが、３Ｄカメラのディスプレイ画面である、実施形態１２に記載の方法。
１７．３Ｄカメラ（６１１５）が、モバイルデバイスの一部として提供されており、出力ユニットが、モバイルデバイスのディスプレイ画面である、実施形態１０〜１２または１４〜１６のいずれか１つに記載の方法。
１８．３Ｄカメラが、選択された身体領域の３Ｄスキャンを実行し、
３Ｄスキャンデータが、（ｉ）選択された身体領域の皮膚表面が適切に剃られているかどうかを決定すること、および（ｉｉ）かみそりのユーザーのシェービングを案内することのうちの少なくとも１つに使用される、実施形態１０〜１７のいずれか１つに記載の方法。
【図１】
2021523762.tif 000003
【図２】
2021523762.tif 000004
【図３】
2021523762.tif 000005
【図４】
2021523762.tif 000006
【図５】
2021523762.tif 000007
【図６ａ】
2021523762.tif 000008
【図６ｂ】
2021523762.tif 000009
【図７】
2021523762.tif 000010
【図８】
2021523762.tif 000011
【図９】
2021523762.tif 000012
【図１０】
2021523762.tif 000013
【図１１】
2021523762.tif 000014
【図１２】
2021523762.tif 000015
【国際調査報告】
2021523762.tif 000016
2021523762.tif 000017
2021523762.tif 000018